(57)【要約】      （修正有）【課題】関節鏡外科手術、腹腔鏡外科手術および内視鏡外科手術のための曲線状器具シールおよび外科手術ポータルアセンブリの提供。【解決手段】曲線状器具シール１００は、本体１１２、環状内側エッジ１１４、環状外側エッジ１１６および（例えば、螺旋形状を有する）１つ以上の隆起した同心リング１１８aを含む。本体１１２は、上面および底面を含む。環状内側エッジ１１４は、外科手術器具を受け入れるように適合される開口部１２０を定める。環状外側エッジ１１６は、シールハウジングの内側部分に機械的に搭載するように適合され得る。隆起した同心リング１１８aは、環状内側エッジ１１４と環状外側エッジ１１６との間の弾性本体１１２の表面上に定められる。【選択図】図２Ａ
2012090963.tif 000002
【特許請求の範囲】
【請求項１】
関節鏡外科手術、腹腔鏡外科手術および内視鏡外科手術のための曲線状器具シールであって、該曲線状器具シールは、
弾性材料から形成され、外科手術器具を受け入れるように適合されている開口部を定める環状内側エッジと該環状内側エッジから離間している環状外側エッジとを有する本体と、
螺旋形状を有し、該本体の該環状内側エッジと該環状外側エッジとの間の該曲線状器具シールの該本体の表面上に定められる複数の隆起した同心リングと
を含む、曲線状器具シール。
【請求項２】
前記複数の隆起した同心リングは、流体を前記本体の前記環状内側エッジから該本体の前記環状外側エッジの方へ運搬するように構成されている形状を有する、請求項１に記載の曲線状器具シール。
【請求項３】
前記環状内側エッジは、増加した厚みの領域を定める、請求項１に記載の曲線状器具シール。
【請求項４】
前記増加した厚みの領域および前記複数の隆起した同心リングは、その間の減少した厚みの領域を定める、請求項１に記載の曲線状器具シール。
【請求項５】
前記弾性本体は、減少した厚みを前記複数の隆起した同心リングの少なくとも１つの側上に有する、請求項１に記載の曲線状器具シール。
【請求項６】
前記螺旋構成は、第一の端を前記環状内側エッジに有し、第二の端を前記環状外側エッジに有する、請求項１に記載の曲線状器具シール。
【請求項７】
前記弾性本体は、上面および底面を含む、請求項１に記載の曲線状器具シール。
【請求項８】
前記複数の隆起した同心リングは、前記弾性本体の前記上面上に定められる、請求項７に記載の曲線状器具シール。
【請求項９】
前記弾性本体の前記複数の隆起した同心リングは、該弾性本体の前記上面および前記底面上に定められる、請求項７に記載の曲線状器具シール。
【請求項１０】
前記複数の隆起した同心リングは、前記弾性本体の前記上面上に定められ、複数の隆起した同心リングは、該弾性本体の前記底面上に定められる、請求項９に記載の曲線状器具シール。
【請求項１１】
前記弾性本体の前記上面上の前記複数の隆起した同心リングと、該弾性本体の前記底面上の該複数の隆起した同心リングとは、垂直に配列されている、請求項１０に記載の曲線状器具シール。
【請求項１２】
前記弾性本体の前記上面上の前記複数の隆起した同心リングと、該弾性本体の前記底面上の該複数の隆起した同心リングとは、互いから垂直にオフセットされている、請求項１０に記載の曲線状器具シール。
【発明の詳細な説明】
【技術分野】
【０００１】
（関連出願への相互参照）
本願は、２０１０年１０月２８日に出願された米国仮特許出願第６１／４０７，５８１号への優先権およびその利益を主張し、その全内容は、これにより本明細書に参照することにより組み込まれている。
【背景技術】
【０００２】
（背景）
（技術分野）
本開示は、機械的にポータル装置に連結するように適合された器具シールに関する。特に、本開示は、外科手術処置中、外科手術器具としっかりと密閉された関係を確立するように適合された曲線状伸展性器具シールに関する。
【０００３】
（関連技術の説明）
関節鏡処置、腹腔鏡処置および内視鏡処置は、一般的に身体内へ挿入された任意の外科手術器具を密閉することを要求する。換言すると、例えば、外科手術領域が食塩水で吹き込まれる、または食塩水を提供される外科手術処置において、ガスおよび流体は、身体に切開を通して流入または流出すべきでない。さらに、腹腔鏡処置および内視鏡処置は、しばしば、臨床医に切開から器官、組織および脈管を離脱させて扱うことを要求し、それにより、そのような処置で用いられる外科手術器具に、比較的長く狭くあることを要求する。
【０００４】
典型的には、外科手術器具は、器具シールの開口部を通して、器具シールに対して実質的に垂直方向で導入される。あるシチュエーションにおいて、外科手術器具が臨床医により外科手術処置中に操作されるとき、多少のガスおよび流体が、器具シールの周りの開口部を通して漏れる。より具体的には、外科手術器具が軸外れの位置で操作されるとき（つまり、外科手術器具が実質的に垂直方向ではない位置）、外科手術器具の周りに延長された開口部が作られる。この延長された開口部は、しばしば、「キャットアイ」効果と呼ばれる。「キャットアイ」効果は、意図しないガスおよび流体が器具シールの開口部を通して流入および／または流出することを可能にする。
【発明の概要】
【発明が解決しようとする課題】
【０００５】
そのため、医学分野において、外科手術処置中の外科手術器具の軸外れな操作中、効果的な密閉を維持し得る曲線状器具シールに対する継続したニーズが存在する。
【課題を解決するための手段】
【０００６】
（概要）
本開示は、関節鏡外科手術、腹腔鏡外科手術および内視鏡外科手術のための曲線状器具シールに関する。曲線状器具シールは、本体、環状内側エッジ、環状外側エッジおよび１つ以上の隆起した同心リングを含む。本体は、弾性材料から形成され得る上面および底面を含む。弾性本体の表面は、減少した厚みを隆起した同心リングの少なくとも１つの側上に有し得る。環状内側エッジは、外科手術器具を受け入れるように適合される開口部を定める。環状外側エッジは、シールハウジングの内側部分に機械的に搭載するように適合され得る。環状内側エッジは、増加した厚みの領域を定め得る。増加した厚みの領域および隆起した同心リングは、その間の減少した厚みの第一の領域を定める。隆起した同心リングは、環状内側エッジと環状外側エッジとの間の弾性本体の表面上に定められる。
【０００７】
実施形態において、１つ以上の隆起した同心リングは、螺旋構成を含み得、螺旋構成の第一の端は、環状内側エッジに近接し、螺旋構成の第二の端は、環状外側エッジに近接する。さらに、隆起した同心リングは、弾性本体の上面上、底面上または上面と底面の両方上に定められ得る。弾性本体の上面および底面上の隆起した同心リングは、垂直に配列され得るか、または互いから垂直にオフセットされ得る。
【０００８】
本開示は、また、外科手術処置中の使用のための外科手術ポータルアセンブリに関する。外科手術ポータルアセンブリは、上記で説明されるように、シールハウジング、スリーブおよび曲線状器具シールを含む。スリーブは、シールハウジングに搭載可能であり、下にある組織へのアクセスを提供するように適合される内部長手方向通路を有する。曲線状器具シールは、シールハウジング内で機械的に連結される。
【０００９】
例えば、本発明は、以下の項目を提供する。
（項目１）
関節鏡外科手術、腹腔鏡外科手術および内視鏡外科手術のための曲線状器具シールであって、該曲線状器具シールは、
弾性材料から形成され、外科手術器具を受け入れるように適合されている開口部を定める環状内側エッジと該環状内側エッジから離間している環状外側エッジとを有する本体と、
螺旋形状を有し、該本体の該環状内側エッジと該環状外側エッジとの間の該曲線状器具シールの該本体の表面上に定められる複数の隆起した同心リングと
を含む、曲線状器具シール。
（項目２）
上記複数の隆起した同心リングは、流体を上記本体の上記環状内側エッジから該本体の上記環状外側エッジの方へ運搬するように構成されている形状を有する、上記項目のいずれかに記載の曲線状器具シール。
（項目３）
上記環状内側エッジは、増加した厚みの領域を定める、上記項目のいずれかに記載の曲線状器具シール。
（項目４）
上記増加した厚みの領域および上記複数の隆起した同心リングは、その間の減少した厚みの領域を定める、上記項目のいずれかに記載の曲線状器具シール。
（項目５）
上記弾性本体は、減少した厚みを上記複数の隆起した同心リングの少なくとも１つの側上に有する、上記項目のいずれかに記載の曲線状器具シール。
（項目６）
上記螺旋構成は、第一の端を上記環状内側エッジに有し、第二の端を上記環状外側エッジに有する、上記項目のいずれかに記載の曲線状器具シール。
（項目７）
上記弾性本体は、上面および底面を含む、上記項目のいずれかに記載の曲線状器具シール。
（項目８）
上記複数の隆起した同心リングは、上記弾性本体の上記上面上に定められる、上記項目のいずれかに記載の曲線状器具シール。
（項目９）
上記弾性本体の上記複数の隆起した同心リングは、該弾性本体の上記上面および上記底面上に定められる、上記項目のいずれかに記載の曲線状器具シール。
（項目１０）
上記複数の隆起した同心リングは、上記弾性本体の上記上面上に定められ、複数の隆起した同心リングは、該弾性本体の上記底面上に定められる、上記項目のいずれかに記載の曲線状器具シール。
（項目１１）
上記弾性本体の上記上面上の上記複数の隆起した同心リングと、該弾性本体の上記底面上の該複数の隆起した同心リングとは、垂直に配列されている、上記項目のいずれかに記載の曲線状器具シール。
（項目１２）
上記弾性本体の上記上面上の上記複数の隆起した同心リングと、該弾性本体の上記底面上の該複数の隆起した同心リングとは、互いから垂直にオフセットされている、上記項目のいずれかに記載の曲線状器具シール。
【００１０】
（摘要）
本開示は、関節鏡外科手術、腹腔鏡外科手術および内視鏡外科手術のための曲線状器具シールに関する。曲線状器具シールは、本体、環状内側エッジ、環状外側エッジおよび（例えば、螺旋形状を有する）１つ以上の隆起した同心リングを含む。本体は、上面および底面を含む。環状内側エッジは、外科手術器具を受け入れるように適合される開口部を定める。環状外側エッジは、シールハウジングの内側部分に機械的に搭載するように適合され得る。隆起した同心リングは、環状内側エッジと環状外側エッジとの間の弾性本体の表面上に定められる。
【００１１】
本開示の様々な実施形態は、図面を参照して本明細書において説明される。
【図面の簡単な説明】
【００１２】
【図１】図１は、本開示の一実施形態に従う、曲線状伸展性器具シールを含む外科手術ポータル装置の斜視図である。
【図２Ａ】図２Ａは、図１の曲線状伸展性器具シールの斜視図である。
【図２Ｂ】図２Ｂは、側断面図であり、上面および底面に複数の隆起した同心リングを有する本体を含む、図２Ａの曲線状伸展性器具シールを例示する。
【図２Ｃ】図２Ｃは、側断面図であり、上面に隆起した同心リングを有する本体を含む曲線状伸展性器具シールの別の実施形態を例示する。
【図３Ａ】図３Ａは、上面に螺旋状同心リングを有する本体を含む曲線状伸展性器具シールの別の実施形態の斜視図である。
【図３Ｂ】図３Ｂは、側断面図であり、上面および底面に螺旋状同心リングを有する本体を含む、図３Ａの曲線状伸展性器具シールを例示する。
【図３Ｃ】図３Ｃは、上面に螺旋状同心リングを有する本体を含む曲線状伸展性器具シールの別の実施形態の側断面図である。
【図４Ａ】図４Ａは、本開示の一実施形態に従う、曲線状伸展性器具シールのさらに別の実施形態の斜視図である。
【図４Ｂ】図４Ｂは、側断面図であり、上面および底面に隆起した同心リングを有する本体を含む、図４Ａの曲線状伸展性器具シールを例示する。
【図４Ｃ】図４Ｃは、側断面図であり、上面に隆起した同心リングを有する本体を含む曲線状伸展性器具シールの別の実施形態を例示する。
【発明を実施するための形態】
【００１３】
（詳細な説明）
本開示のポータル装置は、体腔または関節内の外科手術部位に様々なタイプの器具を導入することを提供し、体腔または関節への気体および／または流体の進入ならびに体腔または関節からの気体および／または流体の退出を最小限にすることによって、器具の周りの実質的に流体密閉のインタフェースを維持するように適合された器具シールを組み込む。
【００１４】
器具の例は、クリップアプライヤ、グラスパ、解剖器具、レトラクタ、ステープラ、レーザプローブ、写真デバイス、内視鏡、腹腔鏡、管などを含むが、これらに限定されない。そのような器具は、総称して、「外科手術器具」、「器具」、または医療従事者の手も含み得る「外科手術物体」と呼ばれる。
【００１５】
ポータルアセンブリは、関節鏡処置、腹腔鏡処置または内視鏡処置において用いられ得る任意の適切なカニューレアセンブリであり得る。ポータルアセンブリはまた、例えば最小侵襲性腹腔鏡の手補助処置中などに医療従事者の手を受けるように適合され得る。
【００１６】
以下の説明において、従来のように、用語「近位」または「後方（ｔｒａｉｌｉｎｇ）」は、医療従事者により近い、デバイスの部分をいい、一方、用語「遠位」または「前方（ｌｅａｄｉｎｇ）」は、医療従事者からより遠い、デバイスの部分をいう。
【００１７】
ここで図面を参照すると、図面において似ている参照数字は、いくつかの図の全体にわたり同一であるかまたは実質的に類似する部分を識別し、図１は、本開示の原理に従うポータル装置１０の例示的実施形態を示す。ポータル装置１０は、外科手術処置に関連して利用される関節鏡、腹腔鏡または内視鏡カニューレアセンブリであり得、その外科手術において、体腔は体腔内の内部器官から体腔の壁を持ち上げるために例えばＣＯ２などの適切な気体が吹き込まれるか、または関節は関節構造へのアクセスを提供するために例えば食塩水などの適切な流体が提供される。カニューレアセンブリは、カニューレアセンブリの通路内に位置決め可能な先の尖った器具である栓子アセンブリ（図示されていない）と共に用いられ得る。栓子アセンブリは、体壁を貫くために利用され、次いでその後、処置を行なうために利用される外科手術器具の導入を可能にするためにカニューレアセンブリから除去される。
【００１８】
ポータル装置１０は、ポータルハウジング１２と、ポータルハウジング１２から延びる細長いポータル部材１４とを含む。ポータルハウジング１２は、従来の手段によって互いに接続される複数のハウジングセグメントを含み得るか、または一体にもしくはモノリシックに形成される単一の構成要素であり得る。ポータルハウジング１２は、ポータルハウジング１２を通って延びる長手方向ハウジング軸「Ｘ」の周りに同軸で配置されるハウジング通路１８を定める内側ハウジング壁１６を有する。内側ハウジング壁１６は、図１に示されるような曲線状伸展性器具シール１００などの器具シールを収容するように寸法設定される。内側ハウジング壁１６および器具シール１００は、互いに協働して外科手術物体または器具「Ｉ」を受け、ポータルハウジング１２内に器具「Ｉ」を横向きに限定する。内側ハウジング壁１６は、断面が概ね円形であり得るか、または他の断面形状を呈し得る。
【００１９】
ポータル部材１４は、ポータル部材１４の長さに沿って延びる長手方向ポータル軸「Ｙ」を定めるスリーブ部材であり得る。ポータル部材１４の長手方向ポータル軸「Ｙ」は、ポータルハウジング１２の長手方向ハウジング軸「Ｘ」と概ね長手方向に整列し得る。ポータル部材１４は、ポータル部材１４の近位端または後方端２４から遠位端または前方２６に延びる内部長手方向開口部２２を定める外側スリーブ壁２０を含む。ポータル部材１４の長手方向開口部２２は、ポータルハウジング１２の中央ハウジング通路１８と概ね長手方向に整列しており、外科手術物体の通過のための、ポータル装置１０を通る共通の長手方向通路１８、２２を定める。ポータル部材１４は、ポータルハウジング１２に接続される別個の構成要素であり得るか、またはポータルハウジング１２にモノリシックに形成され得る。ポータル部材１４およびポータルハウジング１２は、例えばバヨネットロック、ねじ切り接続または類似のものを含むがこれらに限定されない様々な機構によって解除可能に接続され得る。
【００２０】
ポータル部材１４は、ステンレス鋼またはポリマー材料または類似のものなどの別の剛体材料から形成され得る。ポータル部材１４は、透明または不透明であり得る。ポータル部材１４が腹腔鏡処置または内視鏡処置に用いられる場合、ポータル部材１４の直径は、変動し得るが、典型的には約３ｍｍ〜１５ｍｍの範囲である。ポータル部材が手補助の最小侵襲性アプローチに用いられる場合、ポータル部材の直径は、実質的に１５ｍｍより大きくなり得る。
【００２１】
図１は、本開示される曲線状器具シール１００の例示的実施形態を示し、曲線状器具シール１００はポータルアセンブリ１０に位置を定められる。曲線状器具シールの本開示される実施形態が器具シールを必要とする例えばカニューレアセンブリなどの任意の適切な外科手術アセンブリまたは外科手術装置に位置を定められるように適合され得ることが想定される。
【００２２】
図２Ａ〜図２Ｂは本開示される曲線状器具シールの一実施形態を例示し、曲線状器具シールは総称して１００として示される。曲線状器具シール１００は、本体１１２を含み、本体１１２は、環状内側エッジ１１４と、環状外側エッジ１１６と、一つ以上の隆起した同心リング１１８ａとを含む（「隆起した」は本明細書において器具シールのある他の部分の高さより比較的大きい高さをいうために用いられ、シールの表面に溝またはチャネルが切られるかまたはさもなければ形成されるシールもまた溝間またはチャネル間に隆起したリングを有することが認められる）。本体１１２は、例えばエラストマー材料などの任意の適切な弾性材料から形成され、上面１１２ａと、底面１１２ｂとを含む。環状内側エッジ１１４は、外科手術処置中、外科手術器具「Ｉ」を受けるように適合される開口部１２０を定める。環状外側エッジ１１６は、ポータルハウジング１２の内側ハウジング壁１６に機械的に取り付くように適合され得る。
【００２３】
１つ以上の隆起した同心リング１１８ａは、弾性本体１１２の上面１１２ａに形成され、環状内側エッジ１１４と環状外側エッジ１１６との間に配置される。各隆起した同心リング１１８ａは、上面１１２ａに形成され、隣接する同心リングから間隔を空けて置かれる。例えば、より小さい直径を有する隆起した内側同心リング１１８ａは、環状内側エッジ１１４の方に位置を決められ、より大きい直径を有する隆起した外側同心リング１１８ａは、環状外側エッジ１１６の方に位置を決められる。例示されるように、隆起した中央同心リング１１８ａは、内側リングと外側リングとの間に形成され得る。
【００２４】
隆起した同心リング１１８ａは、弾性本体１１２の表面１１２ａの上に突き出得、それによって、本体１１２の間隔を空けた位置においてより大きい厚さを弾性本体１１２に提供し得る。この方法で、隆起した同心リング１１８ａは、伸展性器具シール１００の弾性本体１１２に構造的剛性を提供し得、従って、器具「Ｉ」が本体１１２の開口部１２０内に横向きに操作された（すなわち、軸外れ位置に）場合、いわゆる「キャットアイ」効果を減少させ得る。
【００２５】
一実施形態において、隆起した同心リング１１８ａは、任意の適切な距離で互いから離れるように間隔を空けて置かれ得、隣接するリング１１８ａ間にかつ／またはリング１１８ａと内側エッジ１１４および外側エッジ１１６との間に実質的に平坦な表面１２２ａを定め得る。本体１１２の表面１２２ａの各々は、本体１１２の隆起した同心リング１１８ａの厚さと比較すると、減少した厚さの領域を定める。いくつかの実施形態において、表面領域１２２ａの減少した厚さは、任意の適切な切断技術または形成技術によってさらに減少させられ得、溝を定め得る。外科手術器具「Ｉ」が開口部１２０を通って挿入され、横向きに動かされる場合、平坦表面１２２ａの各々は、本体１１２に位置を決められ、構成され、器具シール１００の伸展性（すなわち、可撓性）を改善する。そのようなものとして、隆起した同心リング１１８ａは、伸展性器具シール１００の全体に構造的剛性を提供し、外科手術処置中、外科手術器具「Ｉ」が横向きに操作された場合、「キャットアイ」効果を最小限にする。
【００２６】
一実施形態において、図２Ｂに最も良く示されるように、上面１１２ａおよび底面１１２ｂの両方とも、隆起した同心リング１１８ａ、１１８ｂを含む。上面１１２ａと同様に、底面１１２ｂは、環状内側エッジ１１４と環状外側エッジ１１６との間に１つ以上の隆起した同心リング１１８ｂおよび平坦表面１２２ｂを規定する。
【００２７】
弾性本体１１２の上面１１２ａおよび底面１１２ｂ上の隆起した同心リング１１８ａ、１１８ｂは、隆起した同心リング１１８ａ、１１８ｂが互いに鏡像（すなわち、反対）となるように、垂直に整列され得る。この方法で、器具シール１００の同心リング１１８ａ、１１８ｂの全厚さは、約２倍となり、従って、外科手術処置中、器具シール１００の本体１１２の選択された領域に、より構造的な剛性を提供する。あるいは、図２Ｃに示されるように、隆起した同心リング１１８ａ'、１１８ｂ'は、本体１１２'の上面１１２ａ’または底面１１２ｂ'にのみ提供され得る。図２Ｃの例示的実施形態において、曲線状シール１００’は、隆起したリング１１８ａ’を含み、隆起したリング１１８ａ’は、本体１１２’の上面１１２ａ’に形成される。
【００２８】
図３Ａ〜図３Ｂは、総称して２００として示される本開示される曲線状器具シールの別の実施形態を例示する。器具シール１００と同様に、曲線状器具シール２００は、本体２１２と、環状内側エッジ２１４と、環状外側エッジ２１６とを含む。しかしながら、曲線状器具シール２００は、第２の端部２１９ａまで連続して渦巻状に巻く（すなわち、螺旋形を描く）第１の端部２１７ａを有する螺旋状の構成に形成される隆起したリング２１８ａを含む。隆起した螺旋形同心リング２１８ａの第１の端部２１７ａは、環状内側エッジ２１４に隣接して位置を決められ、隆起した螺旋形同心リング２１８ａの第２の端部２１９ａは、環状外側エッジ２１６に隣接して位置を決められる。
【００２９】
本体２１２は、例えばエラストマー材料などの任意の適切な材料から形成され、上面２１２ａと、底面２１２ｂとを含む。環状内側エッジ２１４は、外科手術処置中、外科手術器具「Ｉ」を受けるように適合される開口部２２０を定める。環状外側エッジ２１６は、図１に示されるように、ポータルハウジング１２の内側ハウジング壁１６に機械的に取り付くように適合され得る。
【００３０】
隆起した螺旋形同心リング２１８ａは、環状内側エッジ２１４と環状外側エッジ２１６との間の弾性本体２１２の上面２１２ａに形成され、弾性本体２１２の表面２１２ａの上に突き出得、それによって、螺旋形リング２１８ａの領域において弾性本体２１２に、より大きい厚さを提供し得る。この方法で、隆起した螺旋形同心リング２１８ａは、伸展性器具シール２００の表面２１２に構造的剛性を提供し、従って、器具「Ｉ」が開口部２２０内において横向きに操作された場合、いわゆる「キャットアイ」効果を減少させる。
【００３１】
一実施形態において、隆起した螺旋形同心リング２１８ａは、各連続リングが任意の適切な距離で離れて置かれ、螺旋形平坦表面２２２ａを定めるように、渦巻状構成で形成され得る。本体２１２の表面２２２ａは、本体２１２の隆起した同心リング２１８ａと比較して減少した厚さを有する。いくつかの実施形態において、表面領域２２２ａの厚さは、任意の適切な切断技術または形成技術によってさらに減少させられ得、溝を定め得る。上記に説明されるように、減少した厚さ領域２２２ａは、外科手術器具「Ｉ」が開口部２２０を通って挿入され、横向きに動かされる場合、器具シール２００の伸展性（すなわち、可撓性）を改善するように構成され、一方、隆起した同心リング２１８ａは、伸展性器具シール２００の全体に構造的剛性を提供する。
【００３２】
一実施形態において、図３Ｂに最も良く示されるように、上面２１２ａおよび底面２１２ｂの両方とも、隆起した螺旋形同心リング２１８ａ、２１８ｂを含む。上面２１２ａと同様に、底面２１２ｂは、第２の端部２１９ａまで渦巻状に巻く（すなわち、螺旋形を描く）第１の端部２１７ｂを有する螺旋状の構成に形成される隆起したリング２１８ｂを含む。隆起した螺旋形同心リング２１８ｂの第１の端部２１７ｂは、本体２１２の環状内側エッジ２１４に隣接して位置を決められ、隆起した螺旋形同心リング２１８ｂの第２の端部２１９ｂは、環状外側エッジ２１６に隣接して位置を決められる。
【００３３】
一実施形態において、図３Ｂに示されるように、弾性本体２１２の上面２１２ａの隆起した同心螺旋形リング２１８ａおよび底面２１２ｂの隆起した同心螺旋形リング２１８ｂは、それらが互いに整列しないように、垂直にずらされ得る。この方法で、器具シール２００の同心螺旋形リング２１８ａ、２１８ｂは、弾性本体２１２の散乱した部分に構造的剛性を提供し、従って器具シール２００の全体に構造的剛性を配布する。
【００３４】
あるいは、別の実施形態において、弾性本体２１２の上面２１２ａの隆起した同心螺旋形リング２１８ａおよび底面２１２ｂの隆起した同心螺旋形リング２１８ｂは、それらが互いに鏡像（すなわち、反対）となるように、垂直に整列され得る。この方法で、器具シール２００の同心螺旋形リング２１８ａ、２１８ｂの全厚さは、約２倍となり、従って、器具シール２００の選択された領域に、より構造的な剛性を提供する。あるいは、図３Ｃに示されるように、隆起した同心螺旋形リング２１８ａ'、２１８ｂ'は、本体２１２'の上面２１２ａ’または底面２１２ｂ'にのみ提供され得る。図３Ｃの例示的実施形態において、曲線状シール２００’は、隆起したリング２１８ａ’を含み、隆起したリング２１８ａ’は、本体２１２’の上面２１２ａ’に形成される。
【００３５】
例えば図３Ａ〜図３Ｃの実施形態に示される螺旋形配置は、器具シール２００に接触させられる流体が器具シール２００の中心から離れるように容易に動かされるという点でさらなる利点を有し得る。具体的には、器具が開口部２２０を通って挿入されると、例えば、殺菌剤、血液、食塩水、他の体液など、器具によって運ばれる流体は、開口部２２０の近くのシール２００の中心領域に集まり得る。腹腔鏡外科手術に関して、これらの流体はより漏れがちであるのでこれらの流体がここに集まること、または体腔内の通気圧力によって開口部２００を通ってこれらの流体が排出されることは概して望ましくない（前に言及されたように、外科手術空間内において食塩水などの流体が通気気体よりもむしろ用いられることは関節鏡外科手術において典型的である）。さらに、ここに集まる流体または他の物質は、開口部２００を通って挿入される内視鏡を汚し得、それによって、外科手術中、体腔を視覚化する内視鏡の能力を減少させ、外科手術処置中、内視鏡が繰り返し除去され、再洗浄されることを要求し得る。上記に説明され、例えば図３Ａ〜図３Ｃに示される螺旋形配置は、底面２２２ａ、２２２ｂなどによって形成される連続した非常に長いチャネルを提供することによってこの発生の可能性を減少させ得、その連続した非常に長いチャネルの中に開口部２２０の近くに集まる流体が開口部２２０から離れるように伝えられ得、運ばれ得る。このチャネルに沿った流体の伝達は、例えば、毛管作用、重力などによって起こり得る。
【００３６】
図４Ａ〜図４Ｂは、概して３００として示される本開示の曲線状器具シールのさらなる実施形態を例示する。曲線状器具シール３００は、本体３１２、環状内側エッジ３１４、環状外側エッジ３１６および隆起した同心リング３１８ａを含む。本体３１２は、任意の適切な弾性材料（例えばエラストマー材料）から形成され、上面３１２ａおよび底面３１２ｂを含む。上記で説明される曲線状器具シール１００および２００と類似して、環状内側エッジ３１４は、外科手術器具「Ｉ」を受け入れるように適合される開口部３２０を定める。しかし、環状内側エッジ３１４は、増加した厚み３１５ａの領域を定める。増加した厚み３１５ａの領域および隆起した同心リング３１８ａは、その間の減少した厚み３２２ａの第一の領域を定める。器具「Ｉ」が挿入され、横に動かされたとき、環状内側エッジ３１４の周りにサポートを提供することにより、増加した厚み３２２ａの領域および隆起した同心リング３１８ａは、いわゆる「キャットアイ効果」を実質的に減少させるように構成されており、ここで、減少した厚みの領域は、わずかな柔軟性を本体３１２に提供することにより器具「Ｉ」の横の動きを促進させる。上記で論じたように、本体３１２の環状外側エッジ３１６は、ポータルハウジング１２の内側ハウジング壁１６に機械的に搭載するように適合され得る。
【００３７】
隆起した同心リング３１８ａは、環状内側エッジ３１４と環状外側エッジ３１６との間の弾性本体３１２の上面３１２ａ上に形成される。隆起した同心リング３１８ａは、上面３１２ａの任意の部分上に定められ得、それにより、上面３１２ａ上の隆起した同心リング３１８ａの位置に依存して、隆起した同心リング３１８ａの直径を変える。例えば、隆起した同心リング３１８ａは、隆起した同心リング３１８ａが環状内側エッジ３１４に隣接する表面３１２ａの一部上に位置づけられるとき、小さな直径を有し得る。さらに、またはあるいは、隆起した同心リング３１８ａは、隆起した同心リング３１８ａが環状外側エッジ３１６に隣接して位置づけられるとき、大きな直径を有し得る。
【００３８】
隆起した同心リング３１８ａは、弾性本体３１２の表面３１２ａの上に突出し得、それによって、弾性本体３１２に、より大きな厚みを提供する。上記で説明したように、隆起した同心リング３１８ａは、このようにして構造的剛性を伸展性器具シール３００の本体３１２の選択された領域に提供し、したがって、器具「Ｉ」が開口部３２０内で横に操作されるときのいわゆる「キャットアイ」効果を減少させる。
【００３９】
隆起した同心リング３１８ａに近接した領域（つまり、隆起した同心リング３１８ａのどちらか一方の側上）は、表面３１２ａの平板表面３２２ａを定める。表面３２２ａを定める本体３１２は、本体３１２の隆起した同心リング３１８ａの厚みと比較したとき、減少した厚みを有する。実施形態において、表面領域３２２ａの厚みは、任意の適切な切断または形成技術によりさらに減少され得ることにより、大きな空洞を定める。減少した厚み領域３２２ａは、外科手術器具「Ｉ」が、開口部３２０を通して挿入され、横に動かされる一方で、隆起した同心リングが、伸展性器具シール３００に構造的剛性を提供するとき、器具シール３００の伸展性（つまり可撓性）を改善するように構成されている。
【００４０】
一実施形態において（図４Ｂにおいて最もよく示される）、上面３１２ａと底面３１２ｂは、両方とも、隆起した同心リング３１８ａ、３１８ｂを含む。上面３１２ａに類似して、底面３１２ｂは、隆起した同心リング３１８ｂと、環状内側エッジ３１４と環状外側エッジ３１６との間の平板表面領域３２２ｂとを定める。あるいは、図４Ｃに示されるように、隆起した同心リング３１８ａ’および３１８ｂ’は、本体３１２’の上面３１２ａ’または底面３１２ｂ’上に提供され得るのみである。図４Ｃの例示的実施形態において、曲線状シール３００’は、本体３１２’の上面３１２ａ’上に形成される隆起した同心リング３１８ａ’を含む。
【００４１】
図４Ｂにおいて最もよく示されるように、弾性本体３１２の上面３１２ａおよび底面３１２ｂの隆起した同心リング３１８ａ、３１８ｂは、垂直にオフセットされ得、隆起した同心リング３１８ａ、３１８ｂが互いから誤配列される。このようにして、器具シール３００の同心リング３１８ａ、３１８ｂは、弾性本体３１２の異なる部分上に構造的剛性を提供し、したがって、外科手術処置中、器具シール３００を通して構造的剛性を配分する。
【００４２】
あるいは、別の実施形態において、弾性本体３１２の上面３１２ａおよび底面３１２ｂ上の隆起した同心リング３１８ａ、３１８ｂは、垂直に配列され得、それらは互いに鏡像（つまり反対）である。このようにして、器具シール３００の同心リング３１８ａ、３１８ｂの全体の厚みは、おおよそ２倍にされ、したがって、外科手術処置中、器具シール３００に、より多くの構造的剛性を提供する。
【００４３】
器具シール１００、２００および３００の製造の材料は、例えば、イソプレンまたは天然ゴムのような適切なエラストマー材料を含み得るが、それらに限定されない。開示される実施形態において、器具シール１００、２００および３００は、親水性のコーティングでコーティングされ得ることにより外科手術器具「Ｉ」の通過を促進する。
【００４４】
一実施形態において、ポータルハウジング１２は、また、機械的に協働してハウジング１２内に（図１に示されるように）配置されるゼロ閉鎖バルブ３０を含み得る。ゼロ閉鎖バルブ３０は、例えば、ダックビルバルブ、スリットバルブ、トランペットバルブなどであり得るが、それらに限定されない。ゼロ閉鎖バルブ３０は、外科手術物体がないときには、実質的に流体密閉シールを提供するように適合されている。
【００４５】
使用中、外科手術物体または外科手術器具「Ｉ」（図１に示される）は、ハウジング通路１８を通し、上記で説明される具現化された伸展性シール１００、２００および３００のうちの任意の１つを通して導入される。より具体的には、外科手術器具「Ｉ」は、シール１００、２００および３００とポータル部材１２の長手方向の開口部１８を通して進められ、それによって、シール通路１２０、２２０および３２０は、臨床医が外科手術処置を行っている間に、外科手術器具「Ｉ」まわりに密閉を確立しようと協働する。
【００４６】
開示の複数の実施形態が図面において示されかつ／または本明細書で論じられたが、開示をそれに限定する意図ではなく、開示は、当分野で許容される限り範囲が広く、明細書も同様に読まれることが意図される。そのため、上記説明は、限定的なものとして解釈するべきではなく、特定の実施形態の例示に過ぎない。当業者は、これに添付の特許請求の範囲の範囲および精神内で他の改変を予想する。
【図１】
2012090963.tif 000003
【図２Ａ】
2012090963.tif 000004
【図２Ｂ】
2012090963.tif 000005
【図２Ｃ】
2012090963.tif 000006
【図３Ａ】
2012090963.tif 000007
【図３Ｂ】
2012090963.tif 000008
【図３Ｃ】
2012090963.tif 000009
【図４Ａ】
2012090963.tif 000010
【図４Ｂ】
2012090963.tif 000011
【図４Ｃ】
2012090963.tif 000012